(57)【要約】【課題】広告チラシにメーカの意図する情報の掲載を可能とし、メーカから小売店へ支払われる広告料金算定を可能とする広告チラシ作成支援装置を提供する。【解決手段】メーカ側端末２０１から印刷会社１００に設けられた広告制作用サーバ１０１の商品情報データベース１１１に商品情報４１０、商品画像情報４３０、レイアウト情報４５０、広告料情報４７０を登録する。広告制作用サーバ１０１に設けられたチラシ制作手段１１５は、小売店側端末３０１によるアクセスに応じて、商品情報データベース１１１を検索し、小売店側端末３０１によって選択された掲載商品について広告チラシのレイアウト制作を実行する。レイアウト制作完了後、広告制作用サーバ１０１の広告料算出手段１１３は、商品情報データベース１１１の広告料情報４７０と小売店側の発行部数情報等により、メーカ側から小売店側へ支払われる広告料を算出する。【選択図】図１
2008065431.tif 000002
【特許請求の範囲】
【請求項１】
広告チラシの作成を支援するサーバであって、
前記サーバとネットワークを介して接続された商品メーカの端末から入力される商品の商品情報および基本広告料金を格納する商品情報データベースと、
前記サーバとネットワークを介して接続された小売店側の端末からのアクセスにより、前記商品情報データベースを検索し、広告チラシに掲載する商品情報の選択を可能とし、広告チラシを作成するチラシ制作手段と、
前記チラシ制作手段により作成された前記広告チラシに前記商品情報を掲載することにより発生する広告料金を前記基本広告料金から算出する広告料算出手段と、を有することを特徴とする広告チラシ作成支援サーバ。
【請求項２】
前記商品情報は、商品コードおよび商品名と、商品メーカの意図する販売促進情報、商品画像情報、チラシ制作時のレイアウト指定に関する情報であることを特徴とする請求項１記載の広告チラシ作成支援サーバ。
【請求項３】
前記基本広告料金は、１枚当たりの広告料金、発行部数区切りの広告料金、チラシを配布する１地区当たりの広告料金、小売店１店舗当たりの広告料金、または無料のいずれかであって、前記広告料算出手段は、前記基本広告料金と、チラシの発行部数または発行地区数または店舗数から広告料金を算出することを特徴とする請求項１記載の広告チラシ作成支援サーバ。
【請求項４】
広告チラシの作成を支援する広告チラシ作成支援装置であって、
商品の商品情報および基本広告料金を格納した商品情報データベースと、
前記商品情報データベースを検索し、広告チラシに掲載する商品情報の選択を可能とし、広告チラシを作成するチラシ制作手段と、
前記チラシ制作手段により作成された前記広告チラシに前記商品情報を掲載することにより発生する広告料金を前記基本広告料金から算出する広告料算出手段と、を有することを特徴とする広告チラシ作成支援装置。
【請求項５】
広告チラシの作成を支援する広告チラシ作成支援方法であって、
商品の商品情報および基本広告料金を格納させ商品情報データベースを構築するステップと、
前記商品情報データベースを検索し、広告チラシに掲載する商品情報の選択を可能とし、広告チラシを作成するチラシ制作するステップと、
前記チラシ制作手段により作成された前記広告チラシに前記商品情報を掲載することにより発生する広告料金を前記基本広告料金から算出する広告料算出ステップと、を有することを特徴とする広告チラシ作成支援方法。
【請求項６】
コンピュータを請求項１記載の広告チラシ作成支援サーバとして機能させることを特徴とするコンピュータで読取り可能なプログラム。
【発明の詳細な説明】
【技術分野】
【０００１】
本発明は、広告チラシ作成支援装置に関し、特に、商品情報を広告チラシに掲載することにより発生する広告料金を算出する広告チラシ作成支援装置に関する。
【背景技術】
【０００２】
スーパーマーケットや電気機器量販店等の小売販売を目的とする商品流通業では、新聞折込み等による広告チラシの配布が売り上げに大きく寄与する。一方、印刷業界では、チラシ類の製版工程を、コンピュータを用いたＤＴＰ（Desk Top Publishing）技術を利用して行うのが一般的になっている。
広告チラシは、掲載商品の商品名、メーカ名、商品コード、価格、仕様や特徴等の文字情報と、写真等の画像情報を組み合わせて制作される。これらの文字情報、画像情報をデータベースとして用意し、チラシ・カタログ類の制作時に掲載商品の選定や画像情報の選定作業時に作業者にかかる負担を軽減するための装置が提案されている（特許文献１）。
【特許文献１】特開２００４−２９５２９１号公報
【発明の開示】
【発明が解決しようとする課題】
【０００３】
しかしながら、従来の広告チラシ作成においては、小売店が掲載する商品を選定し、商品の説明文や宣伝文も小売店が作成していたため、小売店側が宣伝文等を作成しなければならず小売店側に負担がかかるという問題とともに、商品メーカ側が意図する説明や宣伝と一致しない場合が生じるという問題があった。
また、商品写真等の画像情報が用意されていない場合には、小売店が画像情報を用意し、ポジフィルム等の分解料金等を小売店が負担する必要があった。
【０００４】
また、メーカが小売店の広告チラシに広告を出すことにより発生する広告料金を算定する手段を持つシステムは従来なかった。
【０００５】
本発明は、このような問題に鑑みてなされたもので、その目的とするところは、広告チラシにメーカの意図する情報の掲載を可能とし、メーカから小売店へ支払われる広告料金算定を可能とする広告チラシ作成支援装置を提供することである。
【課題を解決するための手段】
【０００６】
前述した課題を解決するための第１の発明は、広告チラシの作成を支援するサーバであって、前記サーバとネットワークを介して接続された商品メーカの端末から入力される商品の商品情報および基本広告料金を格納する商品情報データベースと、前記サーバとネットワークを介して接続された小売店側の端末からのアクセスにより、前記商品情報データベースを検索し、広告チラシに掲載する商品情報の選択を可能とし、広告チラシを作成するチラシ制作手段と、前記チラシ制作手段により作成された前記広告チラシに前記商品情報を掲載することにより発生する広告料金を前記基本広告料金から算出する広告料算出手段と、を有することを特徴とする広告チラシ作成支援サーバである。
【０００７】
前記商品情報は、商品コードおよび商品名と、商品メーカが指定した販売促進情報、商品画像情報、チラシ制作時のレイアウト指定に関する情報であることが好ましい。
また、前記基本広告料金は、１枚当たりの広告料金、発行部数区切りの広告料金、チラシを配布する１地区当たりの広告料金、小売店１店舗当たりの広告料金、または無料のいずれかであって、前記広告料算出手段は、前記基本広告料金と、チラシの発行部数または発行地区数または店舗数から広告料金を算出する。
【０００８】
すなわち、メーカ側は、商品メーカの端末から、商品名や商品の仕様、特徴、価格等の文字情報と、商品写真等の画像情報、レイアウト指定情報、および基本広告料金を印刷会社のサーバ内にある商品情報データベースに登録する。
広告チラシを作成する小売店側は、小売店の端末からネットワークを介してサーバにアクセスし、チラシ制作手段により、商品情報データベースを検索し、広告チラシに掲載する商品を選択するとともに、広告チラシに掲載する説明文や宣伝文、画像を選択し、入力することにより、広告チラシを制作する。
サーバは、チラシ制作手段により作成された広告チラシに掲載された商品についての広告料金を、商品情報データベースの基本広告料金を元に算出する。
【０００９】
第２の発明は、広告チラシの作成を支援する広告チラシ作成支援装置であって、商品の商品情報および基本広告料金を格納した商品情報データベースと、前記商品情報データベースを検索し、広告チラシに掲載する商品情報の選択を可能とし、広告チラシを作成するチラシ制作手段と、前記チラシ制作手段により作成された前記広告チラシに前記商品情報を掲載することにより発生する広告料金を前記基本広告料金から算出する広告料算出手段と、を有することを特徴とする広告チラシ作成支援装置である。
【００１０】
第３の発明は、広告チラシの作成を支援する広告チラシ作成支援方法であって、商品の商品情報および基本広告料金を格納させ商品情報データベースを構築するステップと、前記商品情報データベースを検索し、広告チラシに掲載する商品情報の選択を可能とし、広告チラシを作成するチラシ制作するステップと、前記チラシ制作手段により作成された前記広告チラシに前記商品情報を掲載することにより発生する広告料金を前記基本広告料金から算出する広告料算出ステップと、を有することを特徴とする広告チラシ作成支援方法である。
第４の発明は、コンピュータを上記の広告チラシ作成支援サーバとして機能させることを特徴とするコンピュータで読取り可能なプログラムである。
【発明の効果】
【００１１】
本発明によれば、広告チラシにメーカの意図する情報の掲載を可能とし、メーカから小売店へ支払われる広告料金算定を可能とする広告チラシ作成支援装置を提供することである。
【発明を実施するための最良の形態】
【００１２】
以下、図面に基づいて本発明の好適な実施形態について詳細に説明する。
まず、図１を参照しながら、本発明の実施の形態に係る広告チラシ作成支援装置１のシステム構成について説明する。
【００１３】
広告チラシ作成支援装置１は、例えば印刷会社１００に設けられた広告制作用サーバ１０１を中心に構成される。広告制作用サーバ１０１は、インターネット等のネットワーク１５０に接続され、ネットワーク１５０を介してメーカ２００のメーカ側端末２０１と小売店３００の小売店側端末３０１に接続される。
【００１４】
広告制作用サーバ１０１は、商品情報データベース１１１、広告料算出手段１１３、チラシ制作手段１１５を持つ。
商品情報データベース１１１には、広告チラシに掲載される商品の情報や、制作時に使用するレイアウト情報、基本広告料金等が格納される。これについての詳細は後述する。
【００１５】
広告料算出手段１１３は、作成された広告チラシに掲載された商品についてメーカ側から小売店側へ支払われる広告料金を算出する。広告料金の算出には、商品情報データベース１１１に格納された基本広告料金の情報が使用される。
【００１６】
チラシ制作手段１１５は、ネットワーク１５０を介して小売店側端末３０１からアクセスされることにより起動され、小売店側端末３０１からの商品情報データベース１１１の検索を可能とし、小売店側端末３０１によって選択された商品情報を広告チラシとして制作する。
【００１７】
次に、広告制作用サーバ１０１のハードウェア構成について、図２を参照しながら説明する。
図２に示すように、広告制作用サーバ１０１は、制御部１３１、入出力インタフェース１３３、入力部１３５、表示部１３７、記憶部１３９、通信部１４１、データベース１４５等からなり、それらがバス１４３で接続された構成をとる。
【００１８】
制御部１３１は、プログラムの実行を行うＣＰＵ（central processing
unit）と、プログラム命令あるいはデータ等を格納するためのＲＡＭ(random access memory)、ＲＯＭ(read only memory)等で構成される。制御部１３１は、記憶部１３９等に格納されたプログラムに従って、バス１４３を介して接続された各装置を駆動制御するとともに、チラシ制作手段、広告料算出手段等を実行する。
【００１９】
記憶部１３９には、チラシ制作手段、広告料算出手段の実行プログラムと、各構成部分を駆動制御するプログラム各種制御データ等が格納されている。
これらのプログラム・コードは、制御部１３１により必要に応じて読み出され、ＲＡＭに移され、ＣＰＵに読み出されて各種機能として実行される。
【００２０】
入出力インタフェース１３３には、プリンタ装置やＣＤ−ＲＯＭ駆動装置等が接続される。
入力部１３５は、キーボードやマウス等による入力装置の処理、表示部１３７は、ディスプレイ装置等の表示装置の処理を実行する。
【００２１】
通信部１４１は、インターネット等の通信機能を持ち、ネットワーク１５０を介して、広告制作用サーバ１０１をメーカ側端末２０１や小売店側端末３０１と接続する機能を持つ。
データベース１４５は、ハードディスク装置等で構成され、商品情報データベースとして機能する。
【００２２】
メーカ側端末２０１及び小売店側端末３０１は、パーソナルコンピュータやワークステーション等であり、どちらも図３に示すようなハードウェア構成をとる。
すなわち、例えば、制御部２３１、入出力インタフェース２３３、入力部２３５、表示部２３７、記憶部２３９、通信部２４１がバス２４３で接続された構成である。
通信部２４１は、インターネット等の通信機能を持ち、ネットワーク１５０を介して広告制作用サーバ１０１と接続可能である。
【００２３】
次に、図４に沿って、本実施の形態の広告チラシ作成支援装置１の処理の流れを説明する。
図４は、メーカ側端末２０１、広告制作用サーバ１０１、小売店側端末３０１の処理の流れを示すフロー図である。
【００２４】
まず、メーカ側端末２０１によって、広告チラシの掲載情報の元となる商品情報データベース１１１への情報入力が行われる（ステップ２１）。
すなわち、例えば新製品発売の都度、メーカはメーカ側端末２０１から広告制作用サーバ１０１にアクセスし、商品情報データベース１１１に新製品情報を入力し、蓄積する。
【００２５】
商品情報データベース１１１に入力する情報は、例えば、図５に示すように、商品情報４１０、商品画像情報４３０、レイアウト指定４５０、広告料情報４７０等からなる。
【００２６】
商品情報４１０は、例えば、商品コードや商品名４１１、商品種別４１３、メーカ名、仕様４１７、メーカによる販売促進情報４１９等である。
メーカ側では、メーカ側端末２０１から、各商品についてのこれらの情報を入力する。メーカによる販売促進情報４１９には、メーカ側で設定したキャッチフレーズやメーカが特に押す特徴等を文字情報として格納する。
【００２７】
商品画像情報４３０は、商品の写真等の画像情報であり、これも例えばメーカがメーカ側端末２０１、ネットワーク１５０を介して入力する。１商品について、同図に示すように、複数の画像データ（４３１−１、４３１−２、４３１−３・・・）を格納しておき、広告チラシ作成時に選択させるようにしてもよい。
【００２８】
レイアウト指定４５０は、各商品の広告チラシ内での位置４５１やこまの大きさ４５３を指定する情報である。
広告チラシでは、例えば面積が大きいほど、また、チラシ上部の見出し下や上段部分、角部分の広告効果が高い。そこで、レイアウト指定４５０には、メーカ側で、各商品の掲載位置や大きさを指定するための情報を入力する。
また、基本広告料金にレイアウト情報を反映させるためにこのレイアウト指定情報４５０を使用してもよい。すなわち、例えば、見出し下やコマ面積が大きい場合には、基本広告料金の１．５倍にするというように、基本広告料金への反映情報をレイアウト指定情報に持たせてもよい。
【００２９】
広告料情報４７０には、メーカ側が小売店側に支払う広告料の基本料金を入力する。
基本広告料金としては、例えば、１枚当たり４７３−１、発行部数単位４７３−２、１地区当り４７３−３、１販売店当り４７３−４、無料４７３−５等の設定方法があり、どの基本広告料金を使用するかを適用広告料フラグ４７１で指定する。
例えば、適用広告料フラグ４７１が１の場合、１枚当り４７３−１、フラグ４７１が２の場合、発行部数単位４７３−２、・・・というように指定すればよい。
【００３０】
広告制作用サーバ１０１は、メーカ側端末２０１による商品情報データベース１１１への入力を受け取り、入力された商品情報４１０、商品画像情報４３０、レイアウト指定４５１、広告料情報４７０をサーバ内の商品情報データベース１１１に登録格納する（ステップ１１）。
メーカ側端末２０１によるステップ２１の処理と、広告制作用サーバ１０１によるステップ１１の処理は、随時実行され、商品情報データベース１１１が構築される。
【００３１】
一方、広告チラシを作成する側の小売店側端末３０１では、広告チラシの作成に際し、印刷会社の広告制作用サーバ１０１をネットワーク１５０を介してアクセスし、チラシ制作プログラム（チラシ制作手段１１５）を起動する(ステップ１２)。
チラシ制作プログラム１１５は印刷会社１００の広告制作用サーバ１０１に置かれたアプリケーション・プログラムであり、ネットワーク１５０を介して小売店３００の小売店端末３０１で広告チラシを制作するサービスを提供する。
【００３２】
すなわち、チラシ制作プログラム１１５は、例えば、商品情報データベース１１１を検索する機能、広告チラシの版面に商品の情報を割り付ける作業を行う機能等を有し、小売店側端末３０１からのアクセスにより、対応する機能を実行し、小売店側端末３０１に対してその結果を表示する。
【００３３】
まず、小売店側端末３０１から、チラシ制作プログラムの商品情報データベース１１１の検索機能を使用し、広告チラシに掲載する商品を選択する（ステップ３２）。
すなわち、図５に示したような商品情報データベース１１１を、商品情報４１０の商品コード４１１や、商品種別４１３、メーカ名４１５等をキーに検索し、検索された商品の中から掲載する商品を選択する。
例えば、商品種別４１３「液晶ＴＶ」をキーに検索し、商品コード４１１「ＬＤＤ１１−３２」を掲載商品として選択する。
【００３４】
掲載商品が決定されると、次に、広告チラシの版面に商品情報を割り付ける処理が実行される。
このとき、商品情報データベース１１１の商品画像情報４３０や決定された商品の商品情報４１０が参照され、例えば、レイアウト指定４５０の情報に従った割り付け処理が行われる。
商品画像情報４３０に複数の画像データ４３１（４３１−１、４３１−２、・・・）が登録されている場合には、小売店側端末３０１から掲載する商品画像情報を選択させるようにするとよい。
【００３５】
図６に広告チラシの割付例６０１を示す。
例えば、商品コード４１１「ＬＤＤ１１−３２」が掲載商品として選択された場合、商品画像情報４３０のなかから小売店側端末３０１に掲載する商品画像情報を選択させ、例えば、選択された画像データ１（４３１−１）と、メーカ名４１５「○○○○」、商品コード４１１「ＬＤＤ１１−３２」、メーカによる販売促進情報４１９「地上Ｄチューナ内蔵・・・」が、広告商品情報６１５−１として、見出し下の位置に大きく割り付けられる。
【００３６】
割り付けられた版面の情報は、ネットワーク１５０を介して小売店側端末３０１の表示部２３７に表示される。
価格「２１８，９００円」は、小売店側端末３０１から入力するようにしてもよい。
【００３７】
以上の商品選択と版面への割付処理（ステップ３２）を繰り返すことにより、複数の商品の広告商品情報（６１５−１〜６１５−５）が掲載された広告チラシが制作され、図６のチラシ例６０１のような広告チラシが制作される。
各商品の価格や、大見出し６１１、小見出し６１３は小売店側端末３０１から指定できるようにしてもよい。
【００３８】
このように商品情報データベース１１１に登録されたメーカ側から提供された商品画像情報４３０やメーカによる販売促進情報４１９が広告チラシ上に掲載されることにより、メーカが意図した情報が掲載可能になる。
【００３９】
次に、広告制作用サーバ１０１は、広告チラシの制作が完了すると、広告料算出プログラム（広告料算出手段１１３）を起動する（ステップ１３）。
広告料算出プログラム１１３は、まず、ネットワーク１５０を介して、小売店側端末３０１から、発行部数、配布地区、販売店数、配布時期等の情報を入力させる（ステップ３３）。
【００４０】
広告料算出プログラム１１３は、商品情報データベース１１１の広告料情報４７０を参照し、広告チラシに掲載される商品についての広告料を算出する（ステップ１４）。
図５に示すように、広告料情報４７０は、各商品について、どのような広告料金体系を適用するかを示すフラグ４７１と、その料金体系の広告料４７３が登録されている。
広告料金体系としては、例えば、１枚あたり（１）４７３−１、発行部数区切り（２）４７３−２、１地区当り（３）４７３−３、１販売店当り（４）４７３−４、無料（５）４７３−５等が設けられる。
適用広告料フラグ４７１が１ならば１枚あたり（１）４７３−１を、フラグ４７２が２ならば発行部数区切り（２）４７３−２というように広告料金体系を適用する。
【００４１】
各商品の広告料を、この広告料情報と、小売店側端末３０１から入力された発行部数や配布地区、販売店数の情報から算出する。
例えば、商品コード「ＬＤＤ１１−３２」の広告料情報４７０の適用フラグ４７１が「１」であれば、（１）１枚あたり４７３−１の基本広告料金「１円」と、小売店側端末３０１から入力された発行部数から同商品の広告料が算出される。
また、例えば、適用フラグ４７１が「２」であれば、（２）発行部数区切り４７３−２の基本広告料金が適用され、小売店側端末３０１から入力された発行部数から広告料金が算出される。例えば、発行部数が２万５０００部であれば２万円の広告料となる。
【００４２】
同様に、適用フラグ４７１が「３」であれば、（３）１地区当り４７３−３の基本広告料金が適用され、小売店側端末３０１から入力された配布地区情報から広告料が算出される。
適用フラグ４７１が「４」であれば、（４）１販売店当り４７３−４の基本広告料金が適用され、小売店側端末３０１から入力される、広告チラシの対象となる小売店の販売店数情報から広告料が算出される。
また、適用フラグ４７１が「５」であれば、メーカ側から小売店側への広告料支払いは発生しない。
【００４３】
広告チラシに掲載される全商品について、広告料を算出し、小売店側に支払われる広告料を算出する。
全商品についての広告料算出が完了したら、広告制作用サーバ１０１は、発生した広告料金をメーカ側に通知し（ステップ１５）、広告チラシを印刷し、小売店へ受け渡す（ステップ１６）。
【００４４】
メーカ側は、広告制作用サーバ１０１から受け取った小売店側へ支払うべき広告料金を、小売店側へ支払う処理を行う（ステップ２２）。
【００４５】
このように、印刷会社に設けられた広告制作用サーバにチラシ制作手段１１５、広告料算出手段１１３、商品情報データベース１１１を設け、商品情報データベース１１１にメーカ側端末２０１からメーカによる販売促進情報４１０を含む商品情報４１０や商品画像情報４３０、広告料情報４７０を登録できるようにすることにより、メーカ側が意図した販売促進情報や写真を掲載したメーカの意図に沿った広告が可能になる。また、小売店側にとっては、広告チラシに商品を掲載したメーカから広告料を受け取ることができる。
【００４６】
尚、本発明は、前述した実施の形態に限定されるものではなく、種々の改変が可能であり、それらも、本発明の技術範囲に含まれる。
すなわち、商品情報データベースに登録する商品情報４１０やレイアウト指定４５０、広告料情報４７０の構成は、図５に示したような構成に限ることはない。また、広告基本料金を、実際に適用したレイアウトによって変更するようにしてもよい。例えば、見出し下や大きな目立つ位置に掲載される商品については基本料金を２倍にするといった指定をレイアウト指定情報４５０に持たせるようにしてもよい。
【図面の簡単な説明】
【００４７】
【図１】本実施の形態に係る広告チラシ作成支援装置１の構成を示すブロック図
【図２】広告制作用サーバ１０１のハードウェア構成図
【図３】メーカ側端末２０１および小売店側端末３０１のハードウェア構成図
【図４】広告チラシ作成支援装置１の処理の流れを示すフローチャート
【図５】商品情報データベース１１１の構成図
【図６】広告チラシ例の説明図
【符号の説明】
【００４８】
１………広告チラシ作成支援装置
１０１………広告制作用サーバ
１１１………商品情報データベース
１１３………広告料算出手段（広告料算出プログラム）
１１５………チラシ制作手段（チラシ制作プログラム）
２０１………メーカ側端末
３０１………小売店側端末
【図１】
2008065431.tif 000003
【図２】
2008065431.tif 000004
【図３】
2008065431.tif 000005
【図４】
2008065431.tif 000006
【図５】
2008065431.tif 000007
【図６】
2008065431.tif 000008